(57)【要約】【課題】操作部の各ボタンの裏面側の導体部が磨耗しても接点部分での当接状態を良好状態へ復帰できる、使用回数に対して長寿命なリモコン装置を提供する。【解決手段】リモコン装置本体１は、複数のボタン２が設けられ、各ボタン２の裏面側に導体部１２が形成された操作部１１と、前記各ボタン２の裏面側の導体部１２に対向する位置に接点部１６が形成されたリモコン基板１５と、を備えている。前記操作部１１と前記リモコン基板１５との間に、フィルム６が水平方向（図３において左方）摺動可能に介装され、前記接点部１６に対応する導体部１２を備えている。各ボタン２の裏面側の導体部１２が劣化した時、フィルム６をリモコン基板１５に対し水平方向（図３において左方）へ摺動させることで、フィルム６の導体部１２が各ボタン２の裏面側の導体部１２に代わり接点部１６と当接し、当接不良状態となっても接点部分を良好状態に復帰させることができる。【選択図】  図３
2006156240.tif 000002
【特許請求の範囲】
【請求項１】
複数のボタンが設けられ、各ボタンの裏面側に導体部を形成した操作部と、
前記操作部の各ボタンの裏面側に形成されている導体部に対向する位置に接点部が形成され、前記各ボタンの裏面側の導体部がその導体部に対向する接点部に当接したかどうかを検出するリモコン基板と、
前記各ボタンの裏面側の導体部とその導体部に対向する前記接点部との当接により、前記リモコン基板により当接が検出され、各接点部に応じた信号を送信する送信手段と、を備えたリモコン装置において、
前記接点部に対応する導体部が前記リモコン基板側に形成されたフィルムと、
前記操作部と前記リモコン基板との間に介装されたスペーサと、
前記フィルムの端部を保持する保持部と、を備え、
前記フィルムは、前記操作部と前記リモコン基板との間を、前記リモコン基板に対し水平方向へ摺動可能であり、且つ、前記フィルムには前記導体部と複数の孔部とが摺動方向に交互に形成され、
前記スペーサは、前記接点部に対向する部分に孔部が形成されたこと、を特徴とするリモコン装置。
【請求項２】
複数のボタンが設けられ、各ボタンの裏面側に導体部を形成した操作部と、
前記操作部の各ボタンの裏面側に形成されている導体部に対向する位置に接点部が形成され、前記各ボタンの裏面側の導体部がその導体部に対向する接点部に当接したかどうかを検出するリモコン基板と、
前記各ボタンの裏面側の導体部とその導体部に対向する前記接点部との当接により、前記リモコン基板により当接が検出され、各接点部に応じた信号を送信する送信手段と、を備えたリモコン装置において、
前記接点部に対応する導体部が前記リモコン基板側に形成されたフィルムを備え、
前記フィルムは、前記操作部と前記リモコン基板との間を、前記リモコン基板に対し水平方向へ摺動可能であることを特徴とするリモコン装置。
【請求項３】
前記フィルムは、前記導体部と複数の孔部とが摺動方向に交互に形成されたことを特徴とする請求項２記載のリモコン装置。
【請求項４】
前記操作部と前記リモコン基板との間に介装されたスペーサを備え、
前記スペーサは、前記接点部に対向する部分に孔部が形成されたことを特徴とする請求項２または３記載のリモコン装置。
【請求項５】
前記フィルムの端部を保持する保持部を備えたことを特徴とする請求項２〜４のいずれかに記載のリモコン装置。
【発明の詳細な説明】
【技術分野】
【０００１】
本発明は、エアコン、テレビジョンなどの家庭用電化製品、業務用電化製品などに用いられるリモコン装置に関するものである。
【背景技術】
【０００２】
一般に、テレビジョン等の映像装置を遠隔操作する従来のリモコン装置は、複数のボタンが設けられ、各ボタンの裏面側に導体部を形成した操作部と、前記操作部の各ボタンの裏面側に形成されている導体部に対向する位置に接点部が形成され、前記各ボタンの裏面側の導体部がその導体部に対向する接点部に当接したかどうかを検出するリモコン基板と、を備えている。以上の構成からなるリモコン装置において、操作者がいずれかのボタンを押すと、そのボタンの裏面側の導体部とこの導体部に対向する接点部とが当接し、リモコン基盤やＬＥＤなどからなる送信手段により、その当接した接点部に対応する信号が送信され、映像装置の映像画面の切り換え等が行われる。
【０００３】
上記の従来のリモコン装置では、ボタンに対し長期間押圧動作を繰り返すことにより、ボタンの裏面側の導体部が磨耗し当接不良となる。その場合、当接不良となった時点でリモコン装置の新品交換または部品交換修理が必要となるため、一般には、上記の構造のリモコン装置は短寿命であった。
【０００４】
一方、例えば、特許文献１に記載されたようなワイヤレスキーボードが従来から提案されている。
【０００５】
このワイヤレスキーボードは、金属製の基板上部に、スペーサを介して内側に対向スイッチ接点部を有する一対の可撓性を有する配線フィルムを水平方向に摺動可能に保持し、このフィルムをキー不使用時にずらすことにより、操作者が意図しない原因によりキーオンされるのを防止できる構成となっている。
【０００６】
したがって、キーボード不使用時には、操作者が意図しない原因によりキーオン状態にならないため、無駄なバッテリ消耗を防止できるとともに対向スイッチ接点部の特性低下が防止されるから、結果として装置の長寿命化を期待できる。
【特許文献１】特開平９−５４６４２号公報
【発明の開示】
【発明が解決しようとする課題】
【０００７】
しかしながら、上記構造のワイヤレスキーボードにおいても、キーオンの有効使用回数は変わらないため、接点部分においての装置の長寿命化は実現できていない。
【０００８】
本発明はこのような従来の課題を解決しようとするものであり、操作部の各ボタンの裏面側の導体部が磨耗しても接点部分での当接状態を良好な状態へ復帰できる、使用回数に対して長寿命なリモコン装置を提供することを目的とするものである。
【課題を解決するための手段】
【０００９】
本発明のリモコン装置は、前記課題を解決するために以下の構成を備えている。
（１）複数のボタンが設けられ、各ボタンの裏面側に導体部を形成した操作部と、
前記操作部の各ボタンの裏面側に形成されている導体部に対向する位置に接点部が形成され、前記各ボタンの裏面側の導体部がその導体部に対向する接点部に当接したかどうかを検出するリモコン基板と、
前記各ボタンの裏面側の導体部とその導体部に対向する前記接点部との当接により、前記リモコン基板により当接が検出され、各接点部に応じた信号を送信する送信手段と、を備えたリモコン装置において、
前記接点部に対応する導体部が前記リモコン基板側に形成されたフィルムを備え、
前記フィルムは、前記操作部と前記リモコン基板との間を、前記リモコン基板に対し水平方向へ摺動可能であることを特徴としている。
【００１０】
この構成では、前記各ボタンの裏面側の導体部が劣化した時に、前記フィルムを前記リモコン基板に対し水平方向へ摺動させることにより、前記フィルムの導体部が前記各ボタンの裏面側の導体部に代わり前記接点部と当接する。
【００１１】
これにより、操作部の各ボタンの裏面側の導体部が磨耗し当接不良状態となっても接点部分を良好な状態に復帰させることができる。
（２）前記フィルムは、前記導体部と複数の孔部とが摺動方向に交互に形成されたことを特徴とする。
【００１２】
この構成では、前記操作部の各ボタンの裏面側に形成されている導体部が劣化していない時に、つまり、前記フィルムを前記リモコン基板に対し水平方向へ摺動させていない状態の時に、前記フィルムの各孔部は、前記各ボタンの裏面側の導体部とその導体部に対向する前記接点部との当接を可能とする。
（３）前記操作部と前記リモコン基板との間に介装されたスペーサを備え、
前記スペーサは、前記接点部に対向する部分に孔部が形成されたことを特徴とする。
【００１３】
この構成では、前記操作部の各ボタンの裏面側に形成されている導体部と前記対向する接点部との当接を可能としつつ、ユーザーが前記操作部の各ボタンを押下した時に、抵抗感（以下、「クリック感」という。）を得られる。
（４）前記フィルムの端部を保持する保持部を備えたことを特徴とする。
【００１４】
この構成では、前記フィルムが外力により容易に水平摺動しないよう出来、且つ、フィルム端部を手で持って引き出す（摺動させる）ことを容易にする。
【発明の効果】
【００１５】
操作部の各ボタンの裏面側の導体部が磨耗し当接不良状態となっても接点部分を良好な状態へ復帰させることができる。
【００１６】
また、ユーザーが前記操作部の各ボタンを押下した時に、クリック感を得られる。
【発明を実施するための最良の形態】
【００１７】
以下、本発明の実施の形態について図１〜図６を用いて説明する。
【００１８】
図１は本発明の実施形態であるリモコン装置の外観図である。短形状のリモコン装置本体１の表面には整列して配置された複数のボタン２と、操作内容等を表示する表示部３とが設けられている。各ボタン２は射出成型などにより一体形成され、ボタントップ部分が本体１の上部に露出している。
【００１９】
図２は上記リモコン装置を裏から見た斜視図である。装置本体１の下部にはバッテリ収納部４が設けられ、この部分に後述のフィルム６の端部を挟持することにより保持する保持部５が設けられている。
【００２０】
操作者は、このフィルム６の端部を指先で持って、矢印方向にスライド（摺動）させることができる。
【００２１】
なお、図２において、保持部５は、フィルム６が外力により容易に水平摺動しないよう出来、且つ、フィルム６の端部を手で持って引き出す（摺動させる）ことを容易にすることが可能であれば良いため、バッテリ収納部４の内部に必ずしも設ける必要はない。
【００２２】
図３はリモコン装置のスイッチ部の要部断面図、図４はリモコン装置のフィルムの要部下面図、図５はフィルムを摺動させた状態のリモコン装置のスイッチ部の要部断面図である。
【００２３】
図３〜５において、リモコン装置本体１には、複数のボタン２が設けられ、各ボタン２の裏面側に導体部１２が形成された操作部１１と、操作部１１の各ボタンの裏面側に形成されている導体部１２に対向する位置に接点部１６が形成されたリモコン基板１５と、当接を検知し信号を送信する送信手段と、接点部１６に対応する導体部１２がリモコン基板１５側に形成されたフィルム６と、操作部１１とリモコン基板１５との間に介装されたスペーサ１３と、が設けられている。
【００２４】
リモコン基板１５は、各ボタン２の裏面側の導体部１２がその導体部１２に対向する接点部１６に当接したかどうかを検出する。
【００２５】
送信手段は、リモコン基板１５により当接が検出されれば、各接点部１６に応じた信号を赤外発光ダイオードなどにより送信する。
【００２６】
フィルム６は、操作部１１とスペーサ１３との間に介装され、この間を、リモコン基板１５に対し水平方向（図３において左方）へ摺動可能である。また、フィルム６は、図３〜５に示すように、導体部１２と摺動方向に交互に複数の孔部１４が形成されている。この孔部１４は、操作部１１の各ボタン２の裏面側に形成されている導体部１２が劣化していない時に、つまり、フィルム６をリモコン基板１５に対し水平方向（図３において左方）へ摺動させていない状態の時に、各ボタン２の裏面側の導体部１２とその導体部１２に対向する接点部１６との当接を可能とするように、複数形成されている。
【００２７】
スペーサ１３は、図３および図５に示すように、各ボタン２の裏面側の導体部１２とその導体部１２に対向する接点部１６との当接を可能とするように、接点部１６に対向する部分に孔部１４が形成されている。
【００２８】
リモコン装置本体１では、図３において、各ボタン２の裏面側の導体部１２が劣化した時に、フィルム６をリモコン基板１５に対し水平方向（図３において左方）へ摺動させることにより、フィルム６が図５の配置状態となる。図５において、フィルム６の導体部１２が各ボタン２の裏面側の導体部１２に代わり接点部１６と当接する。
【００２９】
これにより、操作部１１の各ボタン２の裏面側の導体部１２が磨耗し当接不良状態となっても接点部分を良好な状態に復帰させることができる。
【００３０】
また、上記スペーサ１３の存在により、ユーザーが操作部１１の各ボタン２を押下した時に、クリック感を得られる。
【００３１】
なお、ユーザーが操作部１１の各ボタン２を押下した時に、クリック感を得られなくなるが、上記スペーサ１３を構成要素に加えない実施形態も考えられる。
【００３２】
図６は本発明の他の実施形態であるリモコン装置のスイッチ部の要部断面図である。この他の実施形態と先の実施形態とが相違する点は、フィルム６に孔部を設けていない点、フィルム６をリモコン基板１５に対し水平方向（図６において左方）へ摺動させていない状態の時に、操作部１１とスペーサ１３との間にフィルム６が介装されていない点、である。
【００３３】
この場合、フィルム６をリモコン基板１５に対し水平方向（図６において左方）へ摺動させていない状態の時に、各ボタン２の裏面側の導体部１２とその導体部１２に対向する接点部１６との当接が可能である。
【００３４】
この他の実施形態は、リモコン基板１５がリモコン装置本体１に対し小さい等の理由によりフィルム６に孔部を設けなくとも済む場合において、実施される。
【００３５】
図６において、リモコン装置本体１では、各ボタン２の裏面側の導体部１２が劣化した時に、フィルム６をリモコン基板１５に対し水平方向（図６において左方）へ摺動させることにより、フィルム６の導体部１２が各ボタン２の裏面側の導体部１２に代わり接点部１６と当接する。
【００３６】
これにより、操作部１１の各ボタン２の裏面側の導体部１２が磨耗し当接不良状態となっても接点部分を良好な状態に復帰させることができる。
【００３７】
また、上記スペーサ１３の存在により、ユーザーが操作部１１の各ボタン２を押下した時に、クリック感を得られる。
【００３８】
なお、ユーザーが操作部１１の各ボタン２を押下した時に、クリック感を得られなくなるが、上記スペーサ１３を構成要素に加えない実施形態も考えられる。
【図面の簡単な説明】
【００３９】
【図１】本発明の実施形態であるリモコン装置の外観図
【図２】本発明の実施形態であるリモコン装置を裏から見た斜視図
【図３】本発明の実施形態であるリモコン装置のスイッチ部の要部断面図
【図４】本発明の実施形態であるリモコン装置のフィルムの要部下面図
【図５】本発明の実施形態であるフィルムを摺動させた状態のリモコン装置のスイッチ部の要部断面図
【図６】本発明の他の実施形態であるリモコン装置のスイッチ部の要部断面図
【符号の説明】
【００４０】
１‐本体
２‐ボタン
３‐表示部
４‐バッテリ収納部
５‐保持部
６‐フィルム
１１‐操作部
１２‐導体部
１３‐スペーサ
１４‐孔部
１５‐リモコン基板
１６‐接点部
【図１】
2006156240.tif 000003
【図２】
2006156240.tif 000004
【図３】
2006156240.tif 000005
【図４】
2006156240.tif 000006
【図５】
2006156240.tif 000007
【図６】
2006156240.tif 000008